(57)【特許請求の範囲】
【請求項１】
上部に取付部（２２）を形成し内部に流路（２１）を形成した取付部材（２０）と、該取付部材（２０）の下部一側に回動可能に支持されて前記流路（２１）と連通する内部流路（３１）を形成したノズル部材（３０）と、前記内部流路（３１）内に配置されると共に連通穴（５１、５２）を有する弁体（５０）と、該弁体（５０）を回動させる手段（５４、５７）と、を備える切換ノズルであって、
前記弁体（５０）を回動させる手段は、前記内部流路（３１）内に配置された回動軸（５４）と前記取付部材（２０）の下部他側に配置されたレバー（５７）とを有し、
前記ノズル部材（３０）は、前記内部流路（３１）の外端開口部（３０ａ）を閉塞する栓部材（３７）と複数の開口（３２、３３、３４）とを有し、前記ノズル部材（３０）を前記取付部材（２０）に対して回動させて前記弁体（５０）の前記連通穴（５１、５２）を介して前記内部流路（３１）と前記複数の開口（３２、３３、３４）のいずれかとを選択的に連通させ、
前記レバー（５７）は、前記回動軸（５４）を介して前記弁体（５０）を回動させて前記弁体（５０）の前記連通穴（５１，５２）と前記複数の開口（３２、３３、３４）との連通を遮断可能であることを特徴とする切換ノズル。
【請求項２】
前記複数の開口（３２、３３、３４）のそれぞれに、噴霧形式制御部材（４１、４２、４３、４７）を備え、前記ノズル部材（３０）を前記取付部材（２０）に対して回動することにより、噴霧形式を変更可能であることを特徴とする請求項１記載の切換ノズル。
【請求項３】
前記ノズル部材（３０）は、前記取付部材（２０）に形成された筒部（２７）に内嵌されて回動可能に支持されることを特徴とする請求項１又は２記載の切換ノズル。
【請求項４】
前記弁体（５０）は球状であることを特徴とする請求項１から３のいずれか一項に記載の切換ノズル。
【発明の詳細な説明】
【０００１】
【発明の属する技術分野】
本発明は、水田や畑等に薬液を噴霧する防除機等に用いる噴霧ノズルに係り、特に、複数の噴霧孔を切換え噴霧形式を変更して薬液を噴霧できる切換ノズルに関する。
【０００２】
【従来の技術】
従来、この種の切換ノズルとして、開閉コック付き三方切換ノズルがある。この切換ノズルは、防除機の長尺のブームに多数個が取付けられ、ブームを通して切換ノズルに薬液を供給し、多数の切換ノズルから広い面積への薬液の噴霧を一度に行うことができるものである。そして、この切換ノズルは、複数の開口部を切換える弁体と、弁体への流路を開閉する弁体とを有している。
【０００３】
【発明が解決しようとする課題】
ところで、従来の前記構造の切換ノズルは、開口部を切換える弁体と、流路を開閉する弁体との、二つの弁体を有しており、構造が複雑で大型化し、重量が重くなるという問題点がある。また、この種の切換ノズルをブームに多数個取付けて、広い面積の噴霧を行う場合、切換ノズルが大型で重量が重いため、ブームの先端が下がってしまい、効率的な噴霧が行えないと共に、操作性が悪いという問題点がある。
【０００４】
本発明は、このような問題に鑑みてなされたものであって、その目的とするところは、構造が簡単で小型化が可能であり、重量が軽く、切換ノズルをブームに多数個取付けてもブームの先端が垂れ下がることがなく、操作性が良く、効率の良い、薬液の噴霧を行える切換ノズルを提供することにある。
【０００５】
【課題を解決するための手段】
前記目的を達成すべく、本発明に係る切換ノズルは、上部に取付部を形成し内部に流路を形成した取付部材と、該取付部材の下部一側に回動可能に支持されて前記流路と連通する内部流路を形成したノズル部材と、前記内部流路内に配置されると共に連通穴を有する弁体と、該弁体を回動させる手段と、を備える切換ノズルであって、前記弁体を回動させる手段は、前記内部流路内に配置された回動軸と前記取付部材の下部他側に配置されたレバーとを有し、前記ノズル部材は、前記内部流路の外端開口部を閉塞する栓部材と複数の開口とを有し、前記ノズル部材を前記取付部材に対して回動させて前記弁体の前記連通穴を介して前記内部流路と前記複数の開口のいずれかとを選択的に連通させ、前記レバーは、前記回動軸を介して前記弁体を回動させて前記弁体の前記連通穴と前記複数の開口との連通を遮断可能であることを特徴としている。
【０００６】
また、本発明に係る切換ノズルの好ましい具体的な態様としては、前記複数の開口のそれぞれに、噴霧形式制御部材を備え、前記ノズル部材を前記取付部材に対して回動することにより、噴霧形式を変更可能であることを特徴としている。
更に、本発明に係る切換ノズルの好ましい他の具体的な態様としては、前記ノズル部材は、前記取付部材に形成された筒部に内嵌されて回動可能に支持されることを特徴としている。
【０００７】
更に、本発明に係る切換ノズルの好ましい他の具体的な他の態様としては、前記弁体が球状であることを特徴としている。
【０００８】
このように構成された本発明の切換ノズルは、一つの弁体により、内部流路と複数の開口との連通を切換えることができるので、構成を簡単にできて小型化でき、重量を軽くすることができ、操作性を向上させることができる。また、噴霧形式を容易に変更することができ、切換動作が安定し、組立てが容易である。さらに、一つの弁体により内部流路と複数の開口との連通を遮断できるので、切換操作と独立してノズル開閉操作を行うことができ、操作は円滑に行える。
【０００９】
【発明の実施の形態】
以下、本発明に係る切換ノズルの一実施形態を図面に基づき詳細に説明する。図１は、本発明に係る切換ノズルの一実施形態の正面図、図２は、図１のII−II線断面図、図３（Ａ）は図２のIIIＡ−IIIＡ線断面図、図３（Ｂ）は図２のIIIＢ−IIIＢ線端面図、図４は図２のIV−IV線断面図、図５は開口を遮断した状態の動作説明図である。図１〜４において、切換えノズル１０は、内部に流路２１を形成した取付部材２０と、該取付部材２０に回動可能に支持され前記流路２１と連通する内部流路３１を形成したノズル部材３０と、前記内部流路３１内に配置された弁体５０と、を備えている。
【００１０】
前記ノズル部材３０は、三つの開口３２、３３、３４を有し、前記ノズル部材３０を回動させて前記弁体５０を介して前記複数の開口３２、３３、３４と前記内部流路３１とを選択的に連通させるように構成されている。そして、前記複数の開口３２、３３、３４のそれぞれに、噴霧形式制御部材４１、４２、４３、４７を備え、前記ノズル部材３０を回動することにより、噴霧形式を変更可能である。
【００１１】
前記取付部材２０は、プラスチック等から成形されたものであり、上部には、防除機のブーム薬液管６０に取付片６１により取付けられる取付部２２が形成されている。前記ブーム薬液管６０は円筒棒状であり、内部には噴霧される薬液が移送されるよう構成されている。前記取付部材２０の中間部２０ａは、内部に上下方向に前記流路２１が形成され、該流路２１の上端２１ａは縮径されて流入孔２３が形成されている。この流入孔２３は、前記ブーム６０の貫通孔６０ａに挿入され、Ｏリング２４により漏洩を防止されて、前記ブーム薬液管６０内の薬液が、前記流路２１内へと供給される。該流路２１の下端２１ｂは、栓部材２５及びＯリング２６により閉塞されている。
【００１２】
前記取付部材２０の前記中間部２０ａには、前記流路２１と直交して同軸状に、大径筒部２７及び小径筒部２８が形成され、前記大径筒部２７に前記ノズル部材３０が内嵌されて、前記取付部材２０に対して回動可能に支持されている。前記ノズル部材３０は、前記大径筒部２７の広い面積で支持されるため、回動操作が安定して行える。前記ノズル部材３０は、Ｏリング３５により水密状態が保たれ、スプリングクリップ３６により外れ防止がされている。前記ノズル部材３０は、中央に前記内部流路３１が形成され、この内部流路３１は、前記取付部材２０の前記流路２１と連通している。前記内部流路３１は、外端開口部３０ａを有しており、栓部材３７、Ｏリング３８及びピン３９により水密状態に閉塞され、前記内部流路３１と直交する方向に、１２０度の角度間隔を有する前記三つの開口３２、３３、３４が形成されている。前記内部流路３１は、外端が開口しているため、前記弁体５０等の組み込み作業が容易に行える。なお、前記ノズル部材３０も、プラスチック等から成形されている。
【００１３】
前記クリップ３６は、弾性を有する線材より構成され、上部のつまみ部３６ａ、中央の平行部３６ｂ、下端の係止部３６ｃから構成され、前記平行部３６ｂが、前記ノズル部材３０外周の溝３０ｂに係合することにより、外れ防止がなされ、前記下端の係止部３６ｃにより保持されている。前記クリップ３６は、前記上端のつまみ部３６ａを上方に持ち上げることにより、前記平行部３６ｂが開き、前記大径筒部２７より取外し可能であり、前記クリップ３６を取外すことにより、前記取付部材２０から前記ノズル部材３０を取外すことができる。
【００１４】
前記三つの開口３２、３３、３４に対応して耐薬品性ゴム製の三つの弁座４０が配設されており、これらの弁座４０から突出したリング状の突起４０ａに、球状の前記弁体５０が液密に対接している。前記弁体５０は、一つの中心縦穴５１と、これに連通して直交する二つの横穴５２と、を有し、該二つの横穴５２は、前記内部流路３１に開口している。前記弁体５０には、前記内部流路３１側に溝部５３が形成され、この溝部５３に、回動軸５４の平行面取りされた先端突起部５５が係合している。前記回動軸５４は、前記小径筒部２８にＯリング５６を介して回動可能に支持されており、前記回動軸５４の突出端部５４ａに、レバー５７が固定されている。前記弁体５０は球状であるため、回動時の抵抗が小さく、動作が安定している。
【００１５】
このため、前記レバー５７で前記回動軸５４を回動させ、前記弁体５０を回動させることが可能である。また、前記弁体５０を固定しておき、前記ノズル部材３０を前記取付部材２０に対して回動させることにより、前記弁体５０の前記中心縦穴５１が前記三つの弁座４０のいずれかに選択的に対接でき、前記内部流路３１と、前記三つの開口３２、３３、３４のいずれかと、が、選択的に連通可能となる。前記弁体５０は、選択された一つの前記弁座４０以外の部分では、前記ノズル部材３０の内面３０ａに対接しており、したがって、前記弁体５０が回動されて前記内面３０ａに対接すると、前記中心縦穴５１が閉塞されることになり、前記内部流路３１と前記複数の開口３２、３３、３４のうちの二つのものとの連通を遮断することができる。
【００１６】
前記三つの開口３２、３３、３４に、前記噴霧形式制御部材４１、４２、４３、４７を保持する噴霧体４４が螺合され、Ｏリング４５により水密状態となっている。前記噴霧体４４は、小径部４４ａと大径部４４ｂとから構成され、前記小径部４４ａの端面４４ｃが、前記弁座４０に対接し、該弁座４０を前記弁体５０に密接させている。そして、前記大径部４４ｂの内部空間４４ｄには、スペーサ４６を介して前記噴霧形式制御部材である中子４１、４２、４３が挿入されている。なお、前記スペーサ４６の代わりにＯリングを使用して噴霧形式制御部材を支持するように構成してもよい。
【００１７】
前記三つの中子４１、４２、４３は板材より構成され、穴径、穴数、穴位置がそれぞれ異なって形成され、それぞれ噴霧形式が異なるように設定されている。前記噴霧体４４の外端には、噴霧形式制御部材であるノズル板４７が対接しており、該ノズル板４７には、中心に噴霧孔４８が穿設されている。前記ノズル板４７は、前記噴霧体４４のねじ部に螺合するキャップ４９により固定される。従って、前記各中子４１、４２、４３の穴径、穴数、穴位置、形状等により、薬液の通過量や通過位置等が異なり、前記各ノズル板４７の噴霧孔４８との位置関係等により、噴霧量や霧の粒径等及び拡散角度の噴霧形式を変更することができる。また、前記キャップ４９を取外すことにより前記ノズル板４７や前記中子４１、４２、４３を外すことができ、分解、清掃、交換等を容易に行うことができる。
【００１８】
前記の如く構成された本実施形態の切換ノズル１０の動作について以下に説明する。前記ブーム薬液管６０内に高圧の薬液が供給されると、前記流入孔２３より薬液が前記取付部材２０内の前記流路２１に流入し、さらに薬液は、前記ノズル部材３０の前記内部流路３１内に流入する。薬液は、前記弁体５０の前記横穴５２から前記中心縦穴５１を通過し、前記一つの開口３２に流入する。そして、前記開口３２に螺合されている前記噴霧体４４内に流入し、前記噴霧形式制御部材である中子４１を通過して、前記ノズル板４７の前記噴霧孔４８から霧状に噴霧される。
【００１９】
吐出量、散布パターンや霧性状等の噴霧形式を変更するときは、前記取付部材２０に対して前記ノズル部材３０を１２０度回動させる。これにより、前記弁体５０自体は位置が固定されたままの状態で前記ノズル部材３０が回動せしめられるため、前記中心縦穴５１から選択されていた一つの弁座４０が離れて、隣接する別の弁座４０が、前記中心縦穴５１と対向する。前記別の弁座４０に螺合されている前記噴霧体４４は、選択されていた前記噴霧体４４とは異なる前記噴霧形式制御部材４２、４７を備えるものであり、前記ブーム薬液管６０から供給された薬液は、前記流路２１、前記内部流路３１、前記横穴５２、前記中心縦穴５１を経由して前記別の噴霧体４４内に注入される。そして、薬液は、例えば噴霧量の少ない、霧粒の細かい噴霧として散布される。
【００２０】
さらに、噴霧形式を変更するときは、前記取付部材２０に対して前記ノズル部材３０をさらに１２０度回動させる。これにより、前記弁体５０の中心縦穴５１がもう一つの弁座４０と対向して、前記と同様に、薬液がもう一つの噴霧体４４に供給される。この噴霧体４４に挿入された前記噴霧形式制御部材４３、４７は、例えば噴霧量が多く、霧粒の大きい噴霧が可能であり、この噴霧形式により噴霧を行うことができる。このように、前記取付部材２０に対して、前記ノズル部材３０を１２０度毎に回動させて、前記内部流路３１と前記開口３２、３３、３４との切換えを行うことにより、容易に噴霧形式を変更することができる。
【００２１】
前記内部流路３１と前記複数の開口３２、３３、３４との連通を遮断するときは、図５に示すように、前記レバー５７を６０度回動させて行う。これにより、前記回動軸５４が同様に６０度回動され、前記先端突起部５５が前記溝部５３を介して前記弁体５０を回動させ、前記中心縦穴５１は、前記ノズル部材３０の前記内面３０ａと対接して閉塞され、連通を遮断することができる。前記の切換ノズル１０は、多数個が前記ブーム薬液管６０の長手方向に並設されるものであり、前記レバー５７を、図示していない並行リンク機構等により同時に回動させることにより、一度に全数の切換ノズルの連通を遮断し、薬液の噴霧を停止させることができる。また、前記切換ノズル１０を、スライドブームスプレーヤのスライドブームに装着した場合には、前記レバー５７の揺動端部に取着したローラ５７ａを、図示しない固定側ブームに配設せしめたカム部材に摺接せしめることにより、スライドブームの伸縮に応じて、一つずつ開閉することもできる。
【００２２】
本発明の他の実施形態を図６〜８に基づき詳細に説明する。図６は本発明に係る切換ノズルの他の実施形態の断面図、図７は図６のVII−VII線断面図、図８は遮断した状態の要部断面図である。なお、この実施形態は、前記した実施形態に対し、弁体５０を回動させる機構を備えておらず、またブームとの取付がねじ込み式であることを特徴とする。そして、他の実質的に同等の構成については、同じ符号を付して詳細な説明は省略する。
【００２３】
図６〜８において、切換ノズル１０Ａは、取付部材７０を備え、該取付部材７０は、内部に流路７１を有し、上端の取付部７２が、ねじ込み式である。上端の取付雌ねじ７２ａに、取付継手７３の下方ねじ部７３ａがねじ込まれ、前記取付継手７３の上方ねじ部７３ｂが、断面が矩形状のブーム７４にねじ込まれて固定され、同時に薬液が供給される構成である。前記取付部材７０の下方には、側方に開口する筒部７５が形成され、該筒部７５に、ノズル部材３０が回動可能に支持されている。
【００２４】
そして、前記ノズル部材３０の内部流路３１内に位置する固定軸７６は、弁体５０を回動させる必要がないため、図６において、左端部７６ａは、前記弁体５０の溝部５３に係合すると共に、右端部７６ｂは、前記取付部材７０の壁面への係止突起として係合され、前記筒部７５の軸心に回動不能に配設されている。
【００２５】
この実施形態においても、前記ノズル部材を１２０度で回動させることにより、前記弁体５０の開口である中心縦穴５１を他の弁座４０に対向させ、噴霧形式を変更することができる。この場合、図８に示すように、前記ノズル部材３０を、中間の６０度の位置に停止させることにより、前記中心縦穴５１を前記ノズル部材３０の内面３０ａに対向させて、前記内部流路３１と前記複数の開口３２、３３、３４との連通を遮断状態とすることができる。
【００２６】
なお、前記した実施形態では、ノズル部材は１２０度方向に開口する三つの開口を有する構成を示したが、９０度方向に四つの開口を有する構成や、１８０度方向に二つの開口を有する構成等、適宜変更できるものである。また、弁座は球状の弁体に対接するリング状の突起を有する形状のものを示したが、これに限らず、円形平板状で中心孔の周囲を面取りした形状のものでもよい。
【００２７】
以上、本発明の一実施形態について詳細に説明したが、本発明は、前記実施形態に限定されるものでなく、特許請求の範囲に記載された発明の精神を逸脱しない範囲で、設計において、種々の変更ができるものである。
【００２８】
【発明の効果】
以上の説明から理解できるように、本発明の切換ノズルは、一つの弁体により、内部流路と複数の開口との連通を切換えることができると共に、内部流路と複数の開口との連通を遮断できる。このため、構成を簡単にできて小型化することができ、操作性を向上させることができ、効率の良い薬液の噴霧を行うことができる。また、弁体を回動させる手段を備えることにより、ノズル部材を回動させることなく切換ノズルを容易に遮断することができる。
【図面の簡単な説明】
【図１】本発明に係る切換ノズルの一実施形態の一部を破断した正面図。
【図２】図１のII−II線断面図。
【図３】（Ａ）は図２のIIIＡ−IIIＡ線断面図、（Ｂ）は図２のIIIＢ−IIIＢ線端面図。
【図４】図２のIV−IV線要部断面図。
【図５】開口を遮断した状態の動作説明図。
【図６】本発明に係る切換ノズルの他の実施形態の断面図。
【図７】図６のVII−VII線断面図。
【図８】遮断した状態の要部断面図。
【符号の説明】
１０、１０Ａ  切換ノズル
２０、７０  取付部材
２１、７１  流路
２７  大径筒部
３０  ノズル部材
３０ａ  外端開口部
３１  内部流路
３２、３３、３４  複数の開口
３７  栓部材
４１、４２、４３  噴霧形式制御部材（中子）
４７  噴霧形式制御部材（ノズル板）
５０  弁体
５４  軸（回動手段）
５７  レバー（回動手段）
【図１】
0003950270.tif 000002
【図２】
0003950270.tif 000003
【図３】
0003950270.tif 000004
【図４】
0003950270.tif 000005
【図５】
0003950270.tif 000006
【図６】
0003950270.tif 000007
【図７】
0003950270.tif 000008
【図８】
0003950270.tif 000009